(57)【要約】【課題】排水処理装置へ送られる排水を貯留する排水タンク内の腐食を防止する。【解決手段】第３の排水タンク３１から貯留された排水を配管３４を通じて排水処理装置６０Ａ、６０Ｂへ送る排水タンク系統３０において、配管３４から第３の排水タンクへと延びる分岐配管３５を設け、常時は、第３の排水タンク３１の排水を分岐配管３５を介して循環させ、この際、配管３４に設けられたｐＨ測定装置３６により排水のｐＨを測定し、この測定結果に基づき制御装置が調整弁３８、３９を調整し、分岐配管３５内の排水にｐＨが７となるように酸又はアルカリを添加する。【選択図】  図１
2010234323.tif 000002
【特許請求の範囲】
【請求項１】
排水タンクに貯留された排水を、配管を通じて排水処理装置へ送る排水タンク構造であって、
前記貯留された排水のｐＨを測定するｐＨ測定装置と、
前記ｐＨ測定装置による測定結果に基づき前記排水のｐＨを調整するｐＨ調整手段とを備えることを特徴とする排水タンク構造。
【請求項２】
請求項１記載の排水タンク構造であって、
前記配管には前記排水タンクへと延びる分岐配管が設けられ、
常時は、前記排水タンク内の排水を前記配管及び前記分岐配管を通じて循環させており、
前記ｐＨ測定装置は、前記排水タンク、配管又は分岐配管を流れる排水のｐＨを測定することを特徴とする排水タンク構造。
【請求項３】
請求項２記載の排水タンク構造であって、
前記ｐＨ調整手段は、
前記配管又は分岐配管に酸又はアルカリを添加する酸・アルカリ添加機構と、
前記ｐＨ測定装置による測定結果に基づき、前記酸・アルカリ添加機構のよる酸又はアルカリの添加量を調整する添加量制御機構とにより構成されることを特徴とする排水タンク構造。
【発明の詳細な説明】
【技術分野】
【０００１】
本発明は、貯留された酸性又はアルカリ性の排水を中和する中和設備を備えた排水タンク構造に関する。
【背景技術】
【０００２】
従来より、発電所の復水器などの各種設備から排出された排水は、排水処理装置により重金属の除去やｐＨの調整などを行った後、外部へ放出される。この際、排水処理装置は時間当たりの処理性能に限度があるため、各種設備から排出された排水を、一度、排水タンク内に貯留しておき、排水タンクから排水処理装置へ送る量が排水処理装置の処理性能を超えないように調整している。
【０００３】
また、排水タンクへ送られる排水の中には、電気集塵機の洗浄排水等のように窒素を含み強いアルカリ性を呈するものや酸性を呈するものがある。例えば、特許文献１には、このような酸性又はアルカリ性を呈する排水を中和する装置として、排水タンクの下流においてｐＨを測定し、測定結果に基づき、中和剤を排水に添加する装置が記載されている。
【先行技術文献】
【特許文献】
【０００４】
【特許文献１】特開平８―２２６９２３号公報
【発明の概要】
【発明が解決しようとする課題】
【０００５】
ここで、排水処理装置へ排水を送る際には、複数の排水タンクに貯留された排水を混合することにより、排水処理装置へ送られる排水が、含まれる窒素の濃度が一定値以下となり、あるいは、ｐＨが所定値以内となるなどの所定の条件を満たすように調整しており、上記のような強いアルカリ性又は酸性を呈する排水は、排水タンクから少量ずつしか排出されない。このため、排水タンク内に強い酸性又はアルカリ性の排水が長期に亘って貯留されることとなり、排水タンク内に腐食が生じる虞があった。
【０００６】
本発明は上記の問題に鑑みなされたものであり、その目的は、排水処理装置へ送られる排水を貯留する排水タンク内の腐食を防止することである。
【課題を解決するための手段】
【０００７】
本発明の排水タンク構造は、排水タンクに貯留された排水を、配管を通じて排水処理装置へ送る排水タンク構造であって、前記貯留された排水のｐＨを測定するｐＨ測定装置と、前記ｐＨ測定装置による測定結果に基づき前記排水のｐＨを調整するｐＨ調整手段とを備えることを特徴とする。
【０００８】
上記の排水タンク構造において、前記配管には前記排水タンクへと延びる分岐配管が設けられ、常時は、前記排水タンク内の排水を前記配管及び前記分岐配管を通じて循環させており、前記ｐＨ測定装置は、前記排水タンク、配管又は分岐配管を流れる排水のｐＨを測定してもよい。
【０００９】
また、前記ｐＨ調整機構は、前記配管又は分岐配管に酸又はアルカリを添加する酸・アルカリ添加機構と、前記ｐＨ測定装置による測定結果に基づき、前記酸・アルカリ添加機構のよる酸又はアルカリの添加量を調整する添加量制御機構とにより構成されてもよい。
【発明の効果】
【００１０】
本発明によれば、排水タンクに貯留された排水のｐＨが７程度となるように、ｐＨ調整機構により調整するため、排水タンク内に長期に亘って排水を貯留しても排水タンク内に腐食が生じるのを防止できる。
【図面の簡単な説明】
【００１１】
【図１】本実施形態の排水タンク系統を含む発電所における排水処理設備を示す図である
【図２】第１及び第２の排水処理装置の構成を示す図である。
【発明を実施するための形態】
【００１２】
以下、本発明の排水タンク系統の一実施形態を図面を参照しながら説明する。
図１は、本実施形態の排水タンク系統を含む発電所における排水処理設備１を示す図である。同図に示すように、排水処理設備１は、第１〜第３の排水タンク系統１０、２０、３０と、制御装置７０と、原水槽５０と、第１及び第２の排水処理装置６０Ａ，６０Ｂとにより構成される。
【００１３】
第１及び第２の排水タンク系統１０、２０は、夫々、第１及び第２の排水タンク１１、２１と、排水タンク１１、２１と原水槽５０とを夫々結ぶ配管１４、２４に設けられたポンプ１２、２２と、配管１４、２４のポンプ１２、２２の下流に取り付けられた閉止弁１３、２３とを備えている。これらポンプ１２、２２及び閉止弁１３、２３は制御装置７０と電気的に接続されており、制御装置７０により夫々起動及び開閉が制御される。第１及び第２の排水タンク１１、２１には、ボイラーの冷却水や復水器における排水などが供給される。これら排水タンク１１，２１に供給された排水は、制御装置７０により閉止弁１３，２３が開放され、ポンプ１２、２２が起動されることにより原水槽５０へ送られる。
【００１４】
第３の排水タンク系統３０は、第３の排水タンク３１と、第３の排水タンク３１と原水槽５０とを結ぶ配管３４に設けられたポンプ３２と、配管３４のポンプ３２の下流に取り付けられた閉止弁３３と、配管３４のポンプ３２と閉止弁３３との間の部分から分岐して第３の排水タンク３１へと延びる分岐配管３５と、分岐配管３５に設けられた閉止弁３７と、分岐配管３５内に流れる排水のｐＨを調整するｐＨ調整機構４０とにより構成される。ポンプ３２及び閉止弁３３は制御装置４１と電気的に接続されており、制御装置４１により夫々起動及び開閉が制御される。
【００１５】
第３の排水タンク３１には電気集塵機の洗浄排水のような窒素を多く含む排水が供給される。第３の排水タンク３１に供給された排水は、制御装置７０により閉止弁３７が閉鎖されるとともに閉止弁３３が開放され、ポンプ３２が起動されることにより原水槽５０へ送られる。また、第３の排水タンク３１に供給された排水は、制御装置７０により閉止弁３７が開放されるとともに閉止弁３３が閉鎖され、ポンプ３２が起動されることにより、配管３４から分岐配管３５を経由して第３の排水タンク３１へ戻ることとなる。
【００１６】
ｐＨ調整機構４０は、配管３４に取り付けられたｐＨ測定装置３６と、水酸化ナトリウムの供給量を調整する調整弁３８と、硫酸の供給量を調整する調整弁３９と、制御装置４１とにより構成される。ｐＨ測定装置３６及び調整弁３９は制御装置４１と電気的に接続されており、制御装置４１は調整弁３８，３９を制御することで、水酸化ナトリウム及び硫酸の供給量を調整することができる。
【００１７】
ｐＨ測定装置３６は、配管３４内を流れる排水のｐＨを測定し、測定結果を制御装置４１へと送信する。制御装置４１は、ｐＨ測定装置に３６よる測定結果に基づき、分岐配管３５を流れる排水のｐＨが７程度になる水酸化ナトリウム又は硫酸の添加量を算出し、算出した添加量だけ水酸化ナトリウム又は硫酸が排水に添加されるように調整弁３８、３９を制御する。
【００１８】
このようにｐＨ調整機構４０により水酸化ナトリウム又は硫酸が供給されることで、第３の排水タンク系統３０を循環する排水のｐＨは７程度となる。これにより、第３の排水タンク３１内の排水のｐＨも同程度となり、第３の排水タンク３１内に長期に亘って排水が貯留された場合であっても、排水タンク３１内の腐食を防止できる。
【００１９】
原水槽５０には第１〜第３の排水タンク系統１０、２０、３０から排水が供給される。各排水タンク系統１０、２０、３０から供給される排水の量は、例えば、原水槽５０における排水に含まれる窒素の量が所定量を超えない等、排水処理装置６０Ａ，６０Ｂの処理性能等に基づき予め設定された所定の条件を満たすように決定される。そして、決定された量ずつ排水が原水槽５０に供給されるように制御装置７０が閉止弁１３、２３、３３を開閉する。原水槽５０に貯留された排水は第１の排水処理装置６０Ａ又は第２の排水処理装置６０Ｂへ送られる。
【００２０】
図２は、第１及び第２の排水処理装置６０Ａ，６０Ｂの構成を示す図である。なお、第１及び第２の排水処理装置６０Ａ，６０Ｂの構成は同一である。図２に示すように、排水処理装置６０Ａ，６０Ｂは、第１のｐＨ調整装置と６１、凝集沈殿装置６２と、ろ過装置６３と、第２のｐＨ調整装置６４とにより構成される。
【００２１】
第１のｐＨ調整装置６１は、凝集沈殿装置６２において効率よく重金属等の除去を行えるように、原水槽５０から送られた排水に酸又はアルカリを添加してｐＨが１０程度になるように調整する。この際、第３の排水タンク系統３０に貯留される排水が酸性を呈している場合には、予め、第３の排水タンク系統３０においてｐＨ調整機構４０により中性化を行っているため、第１のｐＨ調整装置６１におけるｐＨ調整を容易に行える。
【００２２】
凝集沈殿装置６２は第１のｐＨ調整装置６１によりｐＨが調整された排水に凝集剤を添加して凝集処理を行い、上澄み液をろ過装置６３へ送る。
ろ過装置６３は、凝集沈殿装置６２から送られた上澄み液をろ過して凝集処理により生じた固形分を取り除く。
【００２３】
第２のｐＨ調整装置６４は、ろ過装置６３によりろ過処理が施された上澄み液のｐＨを７程度になるように調整する。
第２のｐＨ調整装置６４によりｐＨが調整された排水は外部へ放出される。
【００２４】
以下、本実施形態の排水処理設備１における排水の処理の流れを説明する。
まず、発電所内の各種設備で発生した排水は、夫々、第１〜第３の排水タンク１１、２１、３１へと供給される。本実施形態では、第１及び第２の排水タンク１１、２１には復水器やタービンなどから排出された排水が供給され、第３の排水タンク３１には、電気集塵機の洗浄排水が供給される。
【００２５】
第１及び第２の排水タンク１１、２１に供給された排水は、そのまま貯留される。これに対して、第３の排水タンク３１に供給された排水は、閉止弁３７が開放され、閉止弁３３が閉鎖されることで、配管３４及び分岐配管３５を循環することとなる。この際、配管３４においてｐＨ測定装置３６により排水のｐＨが測定され、この測定結果に基づき、制御装置４１がｐＨが７となるように調整弁３８、３９の開閉を制御し、水酸化ナトリウム又は硫酸が分岐配管３５内の排水に添加される。これにより、第３の排水タンク３１内の排水のｐＨが７程度に保たれるため、排水タンク３１内における腐食を防止することができる。
【００２６】
そして、原水槽５０内の排水のｐＨ等が所定の条件を満たすように、制御装置４１が閉止弁１３、２３、３３の開閉及びポンプ１２、２２、３２の駆動を制御して、各排水タンク１１、２１、３１から原水槽５０への排水供給量を調整する。
【００２７】
次に、原水槽５０において混合された排水が第１の排水処理装置６０Ａ又は第２の排水処理装置６０Ｂに送られる。排水処理装置６０Ａ，６０Ｂに送られた排水は、まず、第１のｐＨ調整装置６１により、ｐＨ１０程度になるように酸又はアルカリを添加し、凝集沈殿装置６２により凝集剤を添加して凝集処理を行う。そして、凝集処理された排水の上澄み液をろ過装置６３によりろ過して凝集処理により生じた固形分を取り除き、第２のｐＨ調整装置６４によりろ過処理が施された上澄み液のｐＨを７程度になるように調整する。そして、ｐＨ調整された上澄み液は外部へ放出される。
【００２８】
本実施形態によれば、第３の排水タンク３１へ貯留される排水を配管３４及び分岐配管３５を循環させ、この際、ｐＨ調整機構４０により排水のｐＨが７程度となるように調整することとしたため、長期に亘って窒素を多く含む排水を貯留するような場合であっても、排水タンク３１の腐食を防止することができる。
【００２９】
なお、本実施形態では、第３の排水タンク系統３０にのみ、ｐＨ調整機構４０を設けることとしたが、これに限らず、他の排水タンク系統にも設けることとしてもよい。
【００３０】
また、本実施形態では、ｐＨ測定装置３６により配管３４を流れる排水のｐＨを測定することとしたが、これに限らず、分岐配管３５内、又は第３の排水タンク３１内の排水のｐＨを測定することとしてもよい。
【００３１】
また、本実施形態では、配管３４から分岐し、排水タンク３１へと延びる分岐配管３５を設け、この分岐配管３５を通じて循環させている際に、ｐＨの調整を行うこととしたが、これに限らず、排水タンク３１内の排水のｐＨを測定し、この測定結果に基づき排水タンク３１内に直接、酸又はアルカリを添加してｐＨ調整することとしてもよい。
また、本実施形態では、酸として硫酸、アルカリとして水酸化ナトリウムを排水に添加したが、酸、アルカリとして他の薬剤を用いてもよい。
【符号の説明】
【００３２】
１  排水処理設備                        １０  第１の排水タンク系統
１１  第１の排水タンク                  １２、２２  ポンプ
１３、２３  閉止弁                      １４、２４  配管
２０  第２の排水タンク系統              ２１  第２の排水タンク
３０  第３の排水タンク系統              ３１  第３の排水タンク
３２  ポンプ                            ３３、３７  閉止弁
３４  配管                              ３５  分岐配管
３６  ｐＨ測定装置                      ３８、３９  調整弁
４０  ｐＨ調整機構                      ４１  制御装置
５０  原水槽                            ６０Ａ，６０Ｂ  排水処理装置
６１  第１のｐＨ調整装置                ６２  凝集沈殿装置
６３  ろ過装置                          ６４  第２のｐＨ調整装置
７０  制御装置
【図１】
2010234323.tif 000003
【図２】
2010234323.tif 000004